(57)【要約】【課題】  ウインドレギュレータを予めユニットとして組付け作業の工程を削減する。【解決手段】  ガイドレール部９は、ガイドレール２、ガイドレール２に沿って摺動自在に設けられたスライダ３、スライダ３に固定されるワイヤ４及びガイドレール２の上端部と下端部とに設けられた上下のワイヤ送り手段５，６を備える。ドアインナパネルに固定されるベースブラケット１０に、ガイドレール部９とワイヤ４が巻回されるドラム７とドラム７を回転駆動するためのモータ８とを一体に設けてユニットとしてある。【選択図】          図１
2007056501.tif 000002
【特許請求の範囲】
【請求項１】
窓ガラスの移動方向に沿って配設されたガイドレール、前記ガイドレールに沿って摺動自在に設けられたスライダ、前記スライダに固定されるワイヤ及び前記ガイドレールの上端部と下端部とに設けられた上下のワイヤ送り手段を備えたガイドレール部と、前記ワイヤが巻回されるドラムと前記ドラムを回転駆動するためのモータとを備えたワイヤドラム式ウインドレギュレータにおいて、ドアインナパネルに固定されるベースブラケットに前記ガイドレール部と前記ドラムと前記モータとを一体に設けてユニットとしたことを特徴とするワイヤドラム式ウインドレギュレータ。
【請求項２】
前記ベースブラケットは、矩形状をなすと共に四隅に前記ドアインナパネルに固定するための取付部が設けられ、前記ガイドレール部が前記ベースブラケットの左右方向一側寄りに配置され、前記ドラムが前記ガイドレールの長手方向の中間部の側方に間隔を開けて前記ベースブラケットに配置されたことを特徴とする請求項１に記載のワイヤドラム式ウインドレギュレータ。
【請求項３】
前記ベースブラケットに、室内側と外側とを貫通する開口が設けられたことを特徴とする請求項１又は２に記載のワイヤドラム式ウインドレギュレータ。
【発明の詳細な説明】
【技術分野】
【０００１】
本発明は、車両用のワイヤドラム式ウインドレギュレータに関する。
【背景技術】
【０００２】
車両用ウインドレギュレータは、車両の窓ガラスを昇降させるために車両のドアインナパネルに組付けられる。従来の一般的なワイヤドラム式ウインドレギュレータは、特開２００２−２６６５５３号公報に開示されており、上下方向に延在するガイドレールとガイドレールの上端部と下端部とに回動自在に軸支した上下のプーリと、駆動モータ並びに駆動モータで正逆回転されるドラムと、ドラム及びプーリに巻回されるワイヤと、ワイヤに固定され、かつガイドレールに沿って摺動自在であり窓ガラスの下部に取り付けられるスライダとを備えている（特許文献１参照）。
【０００３】
上記従来のワイヤドラム式ウインドレギュレータは、上下のプーリ及びスライダを備えたガイドレール（ガイドレール部）をドアインナパネルに４点留めにて固定し、駆動モータ並びにドラムを一体に取り付けたドラムベース（駆動部）をドアインナパネルに３点留めにて直接固定し、ドラムに巻回したワイヤをプーリに係合させ、スライダに窓ガラスを固定させる組付け手順をもつものである。
【０００４】
【特許文献１】特開２００２−２６６５５３号公報（図８）
【発明の開示】
【発明が解決しようとする課題】
【０００５】
上述のように、従来のワイヤドラム式ウインドレギュレータは、組付け作業が多くの工程を必要とし、効率の悪いものとなっている。また、ドラムベース部はガイドレール部の側方にやや間隔を開けて設置されるが、ドアインナパネルに対してガイドレール部とドラムベース部を別々に固定するため、ガイドレール部とドラムベース部との位置関係が定まらず、組付け作業を困難なものとしていた。さらに、ガイドレール部とドラムベース部との位置関係が定まっていないため、組付けの作業性をよくするためにワイヤの長さに若干のゆとりを持たせてあるが、最終的にはワイヤが緩みなく緊張状態を保つ必要があり、そのために、ワイヤを挿通するアウタチューブやアウタチューブの湾曲させることでワイヤを緊張させて緩みを取るバネを設ける必要があった。また、ドラムベース部をドアインナパネルに固定しているために、動作時に駆動モータの振動音が直接ドアインナパネルに伝わり、騒音の原因となっていた。
【０００６】
そこで、本発明は、上述の従来技術の不具合を解消することを課題とするものであり、主目的は組付け作業の工程を削減できるワイヤドラム式ウインドレギュレータを提供するものである。
【課題を解決するための手段】
【０００７】
請求項１に係るワイヤドラム式ウインドレギュレータは、窓ガラスの移動方向に沿って配設されたガイドレール、前記ガイドレールに沿って摺動自在に設けられたスライダ、前記スライダに固定されるワイヤ及び前記ガイドレールの上端部と下端部とに設けられた上下のワイヤ送り手段を備えたガイドレール部と、前記ワイヤが巻回されるドラムと前記ドラムを回転駆動するためのモータとを備えたものであって、上記課題を解決するために、ドアインナパネルに固定されるベースブラケットに前記ガイドレール部と前記駆動部とを一体に設けてユニットとしたことを特徴とする。
【０００８】
請求項２に係るワイヤドラム式ウインドレギュレータは、請求項１に係るものにおいて、前記ベースブラケットが矩形状をなすと共に四隅に前記ドアインナパネルに固定するための取付部が設けられ、前記ガイドレール部が前記ベースブラケットの左右方向一側寄りに配置され、前記ドラムが前記ガイドレールの長手方向の中間部の側方に間隔を開けて前記ベースブラケットに配置されたことを特徴とするものである。
【０００９】
請求項３に係るワイヤドラム式ウインドレギュレータは、請求項１又は２に係るものにおいて、前記ベースブラケットに、室内側と外側とを貫通する開口が設けられたことを特徴とするものである。
【発明の効果】
【００１０】
請求項１に係るワイヤドラム式ウインドレギュレータによれば、ウインドレギュレータの各部品をベースブラケットに組付けてユニットとしてあるので、予めユニットとしたベースブラケットをドアインナパネルに対して取り付けるだけでよく、組付け作業の工程を削減できる。また、ベースブラケットにモータが固定される構成としたことにより、モータの振動音がドアインナパネルに直接伝わらないので、騒音の問題を解消することができる。さらに、ベースブラケットを取り付けることでドアインナパネルの取付け開口部の剛性を補強することができる。
【００１１】
請求項２に係るワイヤドラム式ウインドレギュレータによれば、四隅の取付部に対してのみ組付け作業を行えばよいから、ドアインナパネルに対する取り付けが容易となる。また、ガイドレール部がベースブラケットの左右方向一側寄りに配置され、ドラムがガイドレールの長手方向の中間部の側方に間隔を開けてベースブラケットに配置された構成により、組付け作業時に、ガイドレール部とドラムとの位置関係が予め定まり、ガイドレールの上端部と下端部とに設けられた上下のワイヤ送り手段とドラムとの位置関係も定まっていることで、ワイヤを緩みなく緊張状態を持たせてワイヤ送り手段とドラムとに予め巻回させることができるから、ワイヤを挿通するためのアウタチューブを不要にすることが可能でコストを削減でき、ワイヤ動作時も横ぶれなくワイヤを送行させることができる。
【００１２】
請求項３に係るワイヤドラム式ウインドレギュレータによれば、組付け作業時に開口を利用して片手で装置全体を保持することができるため作業性がよく、ウインドレギュレータの軽量化を実現できる。
【発明を実施するための最良の形態】
【００１３】
以下、本発明の実施の形態を図面を参照して説明する。図１は、本発明の一実施形態に係るワイヤドラム式ウインドレギュレータを室内側（室内に向き合う側）から見た正面図である。図２は、ワイヤドラム式ウインドレギュレータをドアインナパネル側（ドアインナパネルに向き合う側）から見た裏面図である。また、図３はワイヤドラム式ウインドレギュレータの左側面図である。ワイヤドラム式ウインドレギュレータ１は、図１及び図２に示すように、図示しない窓ガラスの移動方向に沿って配設されたガイドレール２と、窓ガラスへ連結されると共に、ガイドレール１に沿って摺動自在に設けられたスライダ３と、スライダ３に固定されるワイヤ４と、ガイドレール２の上端部に回動自在に軸支されたワイヤ送り手段としてのプーリ５と、ガイドレール２の下端部に設けられたワイヤ送り手段としてのシュー６と、ワイヤ４がその外周に巻回されたドラム７と、ドラム７を正逆方向に回転駆動するためのモータ８と、図示しないドアインナパネルに固定されるベースブラケット１０とを備える。
【００１４】
なお、この実施形態では、プーリ５とシュー６とによりワイヤ送り手段が構成されている。また、下のワイヤ送り手段はシュー６に代えてプーリを用いてあってもよい。ガイドレール２、スライダ３、ワイヤ４、プーリ５及びシュー６によりガイドレール部９が構成される。スライダ３は、窓ガラスの下端部に固着されたブラケットと結合され、ガイドレール２に沿ってプーリ５とシュー６との間を昇降する。本発明のワイヤドラム式ウインドレギュレータ１は、ガイドレール部９とドラム７とモータ８とを一体に設けてユニットとしたものである。
【００１５】
図４は、図２のワイヤドラム式ウインドレギュレータからスライダ３、ワイヤ４、プーリ５、シュー６、ドラム７、モータ８を取り外した状態を示す裏面図である。ベースブラケット１０は、全体として正面視において矩形状をなすと共に側面視板状をなす（図２及び図３参照）。ベースブラケット１０の四隅にはドアインナパネル（図示せず）に固定するための取付部１１が設けられている。ベースブラケット１０の裏面（ドアインナパネルに向く面）には、左右方向一側寄りにガイドレール２が固定されている。なお、ベースブラケット１０の裏面へガイドレール２を固定する手段は、例えば、スポット溶接等を用いて固定される。また、固定箇所は、ベースブラケット１０の上部に対してガイドレール２の上端寄りが固定され、ベースブラケット１０の下部に対してガイドレール２の下端寄りが固定されている（図１参照）。
【００１６】
ベースブラケット１０の中間部右側寄りには、即ち、ガイドレール２の長手方向の中間部の側方に間隔を開けた位置に、円形の通孔よりなるドラム配設部１２が設けられ、ドラム配設部１２の周囲の３箇所にはドラム取付用孔１３，１３，１３が設けられている（図４参照）。ドラム７は、ドラムブラケット１４を備え、ドラムブラケット１４を介してバーリングカシメ等を用いてベースブラケット１０の裏面のドラム取付用孔１３，１３，１３に取り付けられることにより、ベースブラケット１０のドラム配設部１２に配設される（図２参照）。従って、ドラム７は、ガイドレール１の側方にやや間隔を開けてベースブラケット１０に設置される。
【００１７】
また、ベースブラケット１０の正面の中間部には、ドラム７を正逆方向に回転駆動するためのモータ８とモータ８の駆動軸に連結されたギアボックス（減速機構）１５が固定され、ドラム配設部１２において、ギアボックス１５の出力軸（図示せず）がドラム７の回転軸と一致させて重合されている（図１及び図３参照）。従って、モータ８が駆動して駆動軸が回転すると、ギアボックス１５の出力軸を通じてドラム７の回転軸に伝達され、ドラム７が正逆両方向に回動する。
【００１８】
また、ベースブラケット１０の中間部の上部寄りからベースブラケット１０の上部に亘って室内側と外側とを貫通する開口１６が設けられ、ベースブラケット１０の中間部の下部寄りからベースブラケット１０の下部に亘って室内側と外側とを貫通する開口１７が設けられている。
【００１９】
なお、図４に示すガイドレール２に対しては、上端部の支持孔１８にプーリ５が軸を介して取り付けられ、ガイドレール２の下端からスライダ３が該ガイドレール２に摺動自在に取り付けられ、ガイドレール２の下端部に設けられたシュー取付用係合孔１９にシュー６が係合されて取り付けられる。ワイヤ４は、ドラム７の外周に巻き付けられ、その両端がそれぞれ上下斜め方向に延びてガイドレール２の上下端部に達し、プーリ５及びシュー６により屈曲案内されて、ガイドレール２に沿って掛け渡される。そして、プーリ５とシュー６との間において、ワイヤ４にスライダ３が固着される。
【００２０】
なお、図１に示すプルポケット用ブラケット２０は、ドアの内側において配備される収納用のプルポケットを支持するためのものであり、ベースブラケット１０の正面の中間部のギアボックス１５の側方に、スポット溶接等によって取り付けられる。
【００２１】
以上のように構成されたワイヤドラム式ウインドレギュレータ１は、ドアインナパネルに設けられた取付用開口部（図示せず）に対して取り付けられる。ドアインナパネルへの取り付けは、ベースブラケット１０の四隅に設けられた取付部１１を介してボルト等によってドアインナパネルに固定される。組付け作業は、ウインドレギュレータの各部品をベースブラケット１０に組付けて予めユニットとしてあるので、予めユニットとしたベースブラケット１０をドアインナパネルに対して取り付けるだけでよく、組付け作業の工程を削減できる。また、四隅の取付部１１に対してのみ組付け作業を行えばよいから（ベースプレート１０をドアインナパネルに４点留めにて固定すればよいから）、ドアインナパネルに対する取り付けが容易となる。さらに、ベースブラケット１０を取り付けることでドアインナパネルの取付け開口部の剛性を補強することができる。
【００２２】
また、ベースブラケット１０にモータ８を固定した構成としたことにより、モータ８の振動音がドアインナパネルに直接伝わらないので、騒音の問題を解消することができる。
【００２３】
ガイドレール部９がベースブラケット１０の左右方向一側寄りに配置され、ドラム７がガイドレール２の長手方向の中間部の側方に間隔を開けてベースブラケット１０に配置された構成により、組付け作業時に、ガイドレール部９とドラム７との位置関係が予め定まりっており、さらにガイドレール２の上端部に設けられたプーリ５と下端部に設けられたシュー６とドラム７との位置関係も定まっていることで、ワイヤ４を緩みなく緊張状態を持たせてプーリ５とシュー６とドラム７とに予め巻回させることができるから、ワイヤ４を挿通するためのアウタチューブを不要にすることが可能でコストを削減できる。また、ワイヤ動作時も横ぶれなくワイヤ４を送行させることができる。
【００２４】
さらに、ベースブラケット１０に開口１６，１７を設けたことにより、ウインドレギュレータの軽量化と、組付け作業時に開口を利用して片手で装置全体を保持できるようにしたことによる作業性の向上とを図ることができる。
【００２５】
ワイヤドラム式ウインドレギュレータ１の動作については、従来と同様であって、モータ８を作動させてドラム７を図２の時計回りに回転させると、ワイヤ４のドラム７よりも上方の部分がドラム７に巻き取られると共にワイヤ４のドラム７よりも下方の部分がドラム７から繰り出されて、ワイヤ４はガイドレール２に沿って上方に移動する。この結果、ワイヤ４に固定されたスライダ３がガイドレール２に沿って上昇して、窓ガラスが押し上げられる。一方、モータ８を逆転させてドラム７を反時計回りに回転させると、ワイヤ４のドラム７よりも上方の部分がドラム７から繰り出されると共にワイヤ４のドラム７よりも下方の部分がドラム７に巻き取られてワイヤ４はガイドレール２に沿って下降し、ワイヤ４に固定されたスライダ３及びスライダ３に固着された窓ガラスも下降する。
【００２６】
なお、ベースブラケット１０の正面にプルポケット用ブラケットを取り付けた構成であるので、ガイドレールの裏面に直接プルポケット用ブラケットを取り付けた構成と比較して、プルポケットを操作した時にガイドレール２に直接振動が伝わらないため、窓ガラスの昇降に影響を与えず、昇降が安定する。
【図面の簡単な説明】
【００２７】
【図１】本発明の一実施形態に係るワイヤドラム式ウインドレギュレータの室内側から見た正面図である。
【図２】ワイヤドラム式ウインドレギュレータをドアインナパネル側から見た裏面図である。
【図３】ワイヤドラム式ウインドレギュレータの左側面図である。
【図４】図２のワイヤドラム式ウインドレギュレータからスライダ、ワイヤ、プーリ、シュー、ドラム、モータを取り外した状態を示す裏面図である。
【符号の説明】
【００２８】
１  ワイヤドラム式ウインドレギュレータ
２  ガイドレール
３  スライダ
４  ワイヤ
５  プーリ
６  シュー
７  ドラム
８  モータ
９  ガイドレール部
１０  ベースブラケット
１１  取付部
１２  ドラム配設部
１３  ドラム取付用孔
１４  ドラムブラケット
１５  ギアボックス
１６  開口
１７  開口
１８  支持孔
１９  シュー取付用係合孔
２０  プルポケット用ブラケット
【図１】
2007056501.tif 000003
【図２】
2007056501.tif 000004
【図３】
2007056501.tif 000005
【図４】
2007056501.tif 000006